(57)【要約】【課題】  大重量のキャスタ付き機械装置類を、毛足の長いカーペットが敷設されているような箇所に搬入する場合に、円滑な搬送が行えると共に、床表面材を損傷させることのない搬送補助具を提供する。【解決手段】  キャスタ１２１付きの複写機１等を搬送する場合に用いられる搬送補助具２０であって、平面状の接面部３０と、前記キャスタ１２１を載せる搭載部４０と、前記複写機１がキャスタ１２１により移動される際に前記キャスタ１２１と係合して当該搬送補助具２０の従動的な移動を可能とする係合部５０とを具備する。このような搬送補助具２０をキャスタ１２１に装着して複写機１を移動すれば、搬送補助具２０の接面部３０を滑走面としてカーペット上を滑り走行させることができるので、スムースに複写機１を所望の位置まで搬送することができる。【選択図】      図２
2006096493.tif 000002
【特許請求の範囲】
【請求項１】
接地面に搬送用のキャスタが備えられたキャスタ付き機械装置類、若しくは被搬送物を搬送するためのキャスタ付き台座における前記キャスタに装着される搬送補助具であって、
平面状の接面部と、キャスタを載せる搭載部と、前記機械装置類若しくは被搬送物が移動される際に前記キャスタと係合して当該搬送補助具の従動的な移動を可能とする係合部とを具備することを特徴とする搬送補助具。
【請求項２】
前記接面部は、平面状の接面本体部と、該接面本体部に連接して設けられる上方向に反り上がった反り上がり部とから構成されるソリ状を呈していることを特徴とする請求項１記載の搬送補助具。
【請求項３】
前記係合部は、キャスタの転動方向前方部が当接する前枠部と、キャスタの両側部をガイドする側枠部とを具備することを特徴とする請求項１記載の搬送補助具。
【請求項４】
キャスタの転動方向後方部に、キャスタの後退転動を防止するストッパが設けられていることを特徴とする請求項３記載の搬送補助具。
【請求項５】
前記ストッパは、前記搭載部に突設された、登り勾配面及び下り勾配面を有する凸状突起であることを特徴とする請求項４記載の搬送補助具。
【請求項６】
前記ストッパは、前記係合部の側枠部後方に設けられた、可動式の係止部材であることを特徴とする請求項４記載の搬送補助具。
【請求項７】
牽引用のロープを取り付ける牽引用ロープ固定部がさらに備えられていることを特徴とする請求項１〜６のいずれかに記載の搬送補助具。
【請求項８】
前記係合部は、当該搬送補助具の進行方向と直交する方向に設けられキャスタの側部が当接する側枠部と、キャスタの転動方向前方部が当接する前枠部とを具備することを特徴とする請求項１記載の搬送補助具。
【請求項９】
前記搭載部にキャスタを搭載した状態において、キャスタの一部を前記接面部よりも突出させることが可能な窓部が設けられていることを特徴とする請求項１〜８のいずれかに記載の搬送補助具。
【発明の詳細な説明】
【技術分野】
【０００１】
本発明は、例えば大型複写機等のような大重量のキャスタ付き機械装置類を、カーペット等の柔軟な表面材が敷設された床面上を搬送する場合に好適に用いることができる搬送補助具に関するものである。
【背景技術】
【０００２】
一般に、大型複写機や大型プリンタのような大重量の機械装置類にあっては、その接地面に搬送を容易とするためのキャスタが備えられている。このようなキャスタは、床表面が比較的堅い状態であるとき、例えば床表面が堅牢な床仕上げ材、石やセラミックスタイル材、或いは比較的薄肉のカーペット材等で仕上げられている場合は、その床表面上を良好に転動するため、複写機等をスムースに移動させることができる。
【０００３】
しかしながら、床表面が柔軟な表面材で仕上げられている場合、例えば毛足の長いカーペット等で仕上げられている場合にあっては、キャスタは複写機等の重量を受けてカーペットの深部に沈み込むようになり、また車軸にカーペット繊維が巻き込まれるような現象も惹起されることから、スムースに転動しなくなる。従って、そのような箇所にキャスタ付き複写機等を搬入すると、搬送抵抗が大きくなり、複写機等の移動が非常に困難となる場合がある。また、キャスタの走行痕を高価なカーペットに与えてしまったり、搬送抵抗に打ち勝つべく乱暴な引き回しを行う等してカーペットを損傷してしまったりする危惧もある。
【０００４】
なお、例えば特許文献１には、障害物乗り越えの目的で、キャスタとソリ状の補助具とを複合させる技術が開示されている。
【特許文献１】特開平１０−９８０８４号公報
【発明の開示】
【発明が解決しようとする課題】
【０００５】
従って本発明は、大重量のキャスタ付き機械装置類を、例えば床表面が毛足の長いカーペット等で仕上げられているような箇所に搬入する場合に、円滑な搬送が行えると共に、床表面材を損傷させることのない搬送補助具を提供することを技術的課題とする。
【課題を解決するための手段】
【０００６】
本発明にかかる搬送補助具は、接地面に搬送用のキャスタが備えられたキャスタ付き機械装置類、若しくは被搬送物を搬送するためのキャスタ付き台座における前記キャスタに装着される搬送補助具であって、平面状の接面部と、キャスタを載せる搭載部と、前記機械装置類若しくは被搬送物が移動される際に前記キャスタと係合して当該搬送補助具の従動的な移動を可能とする係合部とを具備することを特徴とする（請求項１）。
【０００７】
この構成によれば、当該搬送補助具の搭載部上にキャスタがマウントされた状態で、且つ前記係合部で互いに係合された状態で、キャスタ付き機械装置類若しくは台座（以下、これらを単にキャスタ付き機械装置類という）の移動に伴って搬送補助具が移動可能となる。この移動の際、床表面と接するのは前記平面状の接面部となる。従って、例えば床表面がカーペットで覆われた箇所において当該キャスタ付き機械装置類に移動力を与えた場合、前記接面部がカーペット繊維を面で受けることとなり、その結果キャスタ付き機械装置類は前記接面部を滑走面としてカーペット上を滑り走行するようになる。
【０００８】
上記構成において、前記接面部は、平面状の接面本体部と、該接面本体部に連接して設けられる上方向に反り上がった反り上がり部とから構成されるソリ状を呈する構成とすることができる（請求項２）。この構成によれば、前記反り上がり部を進行方向側に配置することで、当該搬送補助具の走行先端がカーペット中に潜り込むことを防止でき、走行性を向上させることができる。また、作業者が搬送時に搬送方向を変える場合等における方向舵として、容易に足先で前記反り上がり部を操作できるようになる。
【０００９】
上記構成において、前記係合部は、キャスタの転動方向前方部が当接する前枠部と、キャスタの両側部をガイドする側枠部とを具備する構成とすることが望ましい（請求項３）。この構成によれば、側枠部にてキャスタの横方向のぶれが抑止された状態で、キャスタ付き機械装置類の搬送に伴ってキャスタの転動方向前方部を前枠部と当接でき、簡易かつ安定的な係合状態を構築できるようになる。
【００１０】
さらに、キャスタの転動方向後方部に、キャスタの後退転動を防止するストッパが設けられることが望ましい（請求項４）。この構成によれば、キャスタ付き機械装置類を一時的に戻り搬送した場合でも、当該搬送補助具とキャスタとの係合状態を維持できる（抜け止めを図ることができる）ようになる。
【００１１】
前記ストッパは、前記搭載部に突設された、登り勾配面及び下り勾配面を有する凸状突起にて構成することができる（請求項５）。この構成によれば、前記凸状突起により搬送補助具の抜け止めが図れると共に、勾配面を設けているので搬送補助具のキャスタへの脱着性が良好となる。また抜け止めの構成を、凸部というシンプル構成で達成することができる。
【００１２】
また前記ストッパは、前記係合部の側枠部後方に設けられた、可動式の係止部材で構成することもできる（請求項６）。この構成によれば、脱着時に必要に応じて係止部材を可動させることで、当該搬送補助具とキャスタとを抜け止め状態若しくは抜け止め解除状態とすることができるようになる。また搭載部には凸部が存在しないことから、一層脱着性が良好となる。
【００１３】
上記請求項１〜６のいずれかの構成において、牽引用のロープを取り付ける牽引用ロープ固定部がさらに備えられている構成とすることが望ましい（請求項７）。この構成によれば、当該搬送補助具を介して牽引力をキャスタ付き機械装置類に与えることができ、さらには適宜な牽引具を介して方向変更も容易に行うことができることから、搬送性を一層向上させることができる。
【００１４】
上記構成において、前記係合部は、当該搬送補助具の進行方向と直交する方向に設けられキャスタの側部が当接する側枠部と、キャスタの転動方向前方部が当接する前枠部とを具備する構成とすることができる（請求項８）。この構成によれば、キャスタ付き機械装置類の移動時においてキャスタと側枠部の一方とが干渉（係合）すると共に、側枠部の他方は抜け止め用のストッパとして機能することとなる。従って、別途ストッパを設けずとも、当該搬送補助具の抜け止めを図ることができるようになる。
【００１５】
上記請求項１〜８のいずれかの構成において、前記搭載部にキャスタを搭載した状態において、キャスタの一部を前記接面部よりも突出させることが可能な窓部を設けることができる（請求項９）。この構成によれば、当該搬送補助具を装着した状態で、床表面が堅い部分を搬送させるときに、キャスタの転動力を活用することが可能となる。
【発明の効果】
【００１６】
請求項１にかかる搬送補助具によれば、キャスタ付き機械装置類を毛足の長いカーペット等が敷設されているような箇所に搬入する場合に、搬送補助具の接面部を滑走面として前記カーペット上を滑り走行させることができるので、機械装置類や被搬送物が大重量であってもスムースに機械装置類を所望の位置まで搬送することができ、搬送作業性を向上させることができる。また、平面上の接面部でカーペットと当接するので、カーペットに損傷を与えにくいという利点もある。
【００１７】
請求項２にかかる搬送補助具によれば、搬送補助具の走行先端がカーペット中に潜り込むことを防止でき、また反り上がり部を方向舵としても活用できるので、搬送作業性を向上させ得る。
【００１８】
請求項３にかかる搬送補助具によれば、キャスタと搬送補助具との係合状態を、簡易且つ安定的なものとすることができる。
【００１９】
請求項４にかかる搬送補助具によれば、キャスタ付き機械装置類を一時的に戻り搬送した場合でも、当該搬送補助具とキャスタとの係合状態を維持できる（抜け止めを図ることができる）ことから、キャスタ付き機械装置類を移動中に思いがけず搬送補助具が外れてしまうといった不都合を防止できるようになる。
【００２０】
請求項５にかかる搬送補助具によれば、抜け止めの構成をシンプル化することができるので、搬送補助具の構成を簡素化できる。
【００２１】
請求項６にかかる搬送補助具によれば、ワンタッチ操作で当該搬送補助具とキャスタとを抜け止め状態若しくは抜け止め解除状態とすることができ、また搭載部には凸部が存在しないことから、一層搬送補助具のキャスタへの脱着性が良好となり、取り扱い性のより優れた搬送補助具を提供できるようになる。
【００２２】
請求項７にかかる搬送補助具によれば、搬送補助具を介して牽引力をキャスタ付き機械装置類に与えることができ、さらには適宜な牽引具を介して方向変更も容易に行うことができることから、搬送性を一層向上させることができる。
【００２３】
請求項８にかかる搬送補助具によれば、別途ストッパを設けずとも、当該搬送補助具の抜け止めを図ることができることから、搬送補助具の構成を一層簡素化できる。
【００２４】
請求項９にかかる搬送補助具によれば、床表面が柔軟な部分と堅牢な部分とが混在しているような箇所にキャスタ付き機械装置類を搬入する場合に有利となる。
【発明を実施するための最良の形態】
【００２５】
以下、図面に基づいて、本発明にかかる搬送補助具の各種実施形態につき詳細に説明する。図１は、本発明にかかる搬送補助具が適用されるキャスタ付き機械装置類の一例である大型の（大重量の）複写機１を示しており、図１（ａ）はその正面図を、図１（ｂ）はその側面図をそれぞれ示している。この複写機１は、原稿画像を電子的に読み取って所定の用紙に画像形成する箱形の装置本体部１１と、該装置本体部１１の床表面Ｓに対する接地面Ｂ（下面）に取り付けられた搬送用のキャスタ部１２とを備えている。
【００２６】
前記キャスタ部１２は、床表面Ｓに接して転動するキャスタ１２１と、該キャスタ１２１を回動自在に軸支する支軸１２２とから構成されている。前記支軸１２２は取り付け固定面を備え、該取り付け固定面が前記装置本体部１１の接地面Ｂに固定されることにより、キャスタ部１２と装置本体部１１とが一体化されている。本発明にかかる搬送補助具は、このようなキャスタ付き複写機１を、例えば毛足の長いカーペットが敷設された室内へ搬入する際などにおいて、前記キャスタ１２１に装着されるものである。
【００２７】
なお、本実施形態ではキャスタ付き機械装置類の一例としてキャスタ付き複写機１を例示するが、これに限らず各種のキャスタ付き機械装置類に適用可能であり、例えば大型プリンタ等の各種大重量の事務機器、大型の測定装置類、大型家電装置などにも適用可能である。また、各種の被搬送物を載置して搬送するキャスタ付きの台座等にも適用することができ、とりわけカーペットを自重で沈下させてしまうような大重量の被搬送物を搬送するキャスタ付きの台座等に有用である。
【００２８】
図２は、本発明にかかる搬送補助具２０の一例を示すものであり、図２（ａ）は、当該搬送補助具２０の斜視図、図２（ｂ）はその上面図、図２（ｃ）は図２（ｂ）のＡ−Ａ線断面図をそれぞれ示している。この搬送補助具２０は、平面状の接面部３０と、前記キャスタ１２１を載せる搭載部４０と、前記複写機１が移動される際に前記キャスタ１２１と係合して当該搬送補助具２０の従動的な移動を可能とする係合部５０とを備えている。
【００２９】
接面部３０は、平面状の接面本体部３１と、該接面本体部３１に連接して設けられる上方向に反り上がった反り上がり部３２とから構成されるソリ状を呈している。すなわち、接面本体部３１の一端側が上方向へ湾曲された態様で、反り上がり部３２が形成されている。また、反り上がり部３２の突端側近傍には、後述する牽引用ロープ６の固定部として機能する貫通孔３３が設けられている。
【００３０】
反り上がり部３２は、複写機１が移動される際にその進行方向側に位置するようキャスタ１２１に装着される。これにより、搬送進行時において当該搬送補助具２０の走行先端がカーペット中に潜り込むことを防止でき、走行性を向上させることができる。また、反り上がり部３２は上方向に配向されていることから、作業者が搬送時に搬送方向を変える場合等において、足先等を反り上がり部３２にあてがって向きを変える操作が容易に行えるので、一種の方向舵としても活用できるようになる。
【００３１】
搭載部４０は、図２（ｃ）に示すように、キャスタ１２１が実際に搭載される部位である。この実施形態では、前記接面部３０の裏面側（使用時における表面側）も平面状として全体として薄板状である搬送補助具２０を例示しているが、図２（ｂ）に示すように、その平面状の表出面３００の略中央部分に搭載部４０を設けた例を示している。
【００３２】
係合部５０は、キャスタ１２１の転動方向前方部が当接する前枠部５１と、キャスタ１２１の両側部をガイドする一対の側枠部５２ａ、５２ｂとを具備し、上面視でコ字型（図２（ｂ）参照）を呈する前記表出面３００上への突設枠体からなる。すなわち、一対の側枠部５２ａ、５２ｂは、キャスタ１２１が転動しつつ侵入できる間隔を置いて配置され、このような側枠部５２ａ、５２ｂの先端側にキャスタ１２１を当止する前枠部５１が配置されている。従って、本実施形態では、表出面３００における前記側枠部５２ａ、５２ｂ及び前枠部５１で区画されたコ字型の領域が、前記搭載部４０として機能する。このように構成された係合部５０であれば、側枠部５２ａ、５２ｂにてキャスタ１２１の横方向のぶれが抑止された状態で、キャスタ付き複写機１の搬送に伴ってキャスタ１２１の転動方向前方部を前枠部５１と当接でき、キャスタ１２１との簡易かつ安定的な係合状態を構築できるようになる。
【００３３】
以上のような基本構成に加え、本実施形態にかかる搬送補助具２０では、キャスタ１２１の転動方向後方部に、キャスタ１２１の後退転動を防止するストッパとしての凸状突起部４１が設けられている。この凸状突起部４１は、前記搭載部４０の後端側（側枠部５２ａ、５２ｂの後端側）に突設され、下り勾配面４１１及び登り勾配面４１２を有して構成されている。
【００３４】
図２（ｃ）に示すように、前記下り勾配面４１１は、キャスタ１２１を搭載部４０へ載せ、係合部５０の前枠部５１へキャスタ１２１の転動方向前方部を当接させた装着状態において、キャスタ１２１の転動方向後方部と当接する位置に設置され、複写機１を移動する際に一時的に後退させた場合でも容易にキャスタ１２１が乗り越えることができない高さに設定されている。一方、前記登り勾配面４１２は、キャスタ１２１を搭載部４０へ導入する際に、比較的容易に凸状突起部４１を乗り越えることを可能とするための勾配面である。従って、該登り勾配面４１２は、前記下り勾配面４１１に比べて緩やかな勾配であることが望ましい。このような凸状突起部４１を設けることで、搬送補助具２０のキャスタ１２１からの抜け止めが図れると共に、登り勾配面４１２を設けているので搬送補助具２０のキャスタ１２１への脱着性が良好となる。また搬送補助具２０の抜け止めの構成を、凸部というシンプル構成で達成できるという利点がある。
【００３５】
図３は、キャスタ１２１に搬送補助具２０を装着する状態を示す説明図である。図示する通り、搬送補助具２０のキャスタ１２１への装着にあたっては、搬送補助具２０をキャスタ１２１の転動方向前方側（搬送方向前方側）に据え置き、装置本体部１１を前方に移動させてキャスタ１２１を前記搭載部４０（側枠部５２ａ、５２ｂの）へ導くようにする。この際、当該搬送補助具２０へのキャスタ１２１の乗り上げが容易に行われるよう、搬送補助具２０（搭載部４０）の後端側にはスロープ部４２が設けられている。
【００３６】
そして、前記スロープ部４２を昇り上ったら、次にキャスタ１２１は前記凸状突起部４１の登り勾配面４１２を乗り越えるまで、装置本体部１１がさらに前方へ移動される。これにより、図２（ｃ）に示すように、キャスタ１２１の転動方向前方部が前枠部５１に当接され、キャスタ１２１の転動方向後方部と凸状突起部４１（下り勾配面４１１）とが当接乃至は近接した状態となり、搬送補助具２０のキャスタ１２１への装着が完了するものである。
【００３７】
図４は、搬送補助具２０の使用状態を簡略的に示す側面図である。この図例では、毛足の長いカーペット繊維９１が植設されたカーペット９の上を、当該搬送補助具２０を用いて複写機１（装置本体部１１）を搬送している状態を示している。図２（ｃ）に示すように搬送補助具２０を装着状態にすると、複写機１の荷重を搭載部４０でポイント的に受け、これを平面状の接面本体部３１で面として分散負担して複写機１が支持されうる状態となる。
【００３８】
しかる後、図中矢印の方向に複写機１を移動させると、搬送補助具２０の係合部５０（前枠部５１）とキャスタ１２１とが干渉し、その結果搬送補助具２０が複写機１の移動に伴って従動するようになる。この際、搬送補助具２０の反り上がり部３２がカーペット繊維９１を順次倒しつつ、平面状の接面本体部３１が面としてカーペット繊維９１と当接しながら、搬送補助具２０はカーペット９の上を進行することとなる。
【００３９】
これにより、複写機１は前記接面部３０（接面本体部３１）を滑走面としてカーペット９上を滑り走行するようになる。すなわち、キャスタ１２１が複写機１の重量を受けてカーペット９の深部に沈み込むことはなく、また車軸にカーペット繊維９１が巻き込まれるような現象も惹起されないことから、スムースに複写機１を移動させることができる。また、複写機１を一時的に後退移動させた場合でも、凸状突起部４１とキャスタ１２１とが干渉するので、キャスタ１２１が搬送補助具２０から抜け出ることはない。
【００４０】
以上は、専ら複写機１を作業者が搬送方向後ろ側から押して搬送する場合について説明したが、図５に示すように、後ろ側から押す作業に加えて、牽引用ロープ６を用いて作業者が搬送方向前側からも牽引できるようにすることが、複写機１の搬送性を良好とする観点からは望ましい。このため本実施形態では、搬送補助具２０の反り上がり部３２の突端側近傍には、牽引用ロープ６の固定部として機能する貫通孔３３が設けられている（図２（ａ）参照）。
【００４１】
牽引用ロープ６は、前記貫通孔３３に引っ掛けられるフック部６１と、ロープ本体部６２と、グリップ部６３１を有する牽引リング部６３とからなる。そして、前記フック部６１を貫通孔３３に引っ掛けた状態で、前記牽引リング部６３を引っ張ることで、複写機１を牽引移動させることができるようになる。この際、牽引用ロープ６による牽引力は、凸状突起部４１とキャスタ１２１との干渉部分を介して複写機１に伝達されることとなる。
【００４２】
このような牽引用ロープ６の固定部として機能する貫通孔３３を具備させることで、牽引用ロープ６による牽引力を複写機１に与えることができることから、複写機１の移動作業時の負荷を軽減できるようになる。また、さらには移動方向を変更する場合、牽引用ロープ６を用いて牽引作業を行っている者が牽引リング部６３を引っ張りつつ左右に動くだけで反り上がり部３２も左右に振られることとなり、搬送補助具２０の進行方向も自ずと変更されるようになる。従って、移動方向の変更のため移動作業をいちいち停止する必要もないことから、搬送性を一層向上させることができる。
【００４３】
（変形実施形態の説明）
続いて、キャスタ１２１の後退転動を防止するストッパの他の実施形態について説明する。図６及び図７に示した搬送補助具２１は、ストッパを、係合部５０の側枠部５２ａ、５２ｂの後方に設けられた、可動式の係止部材で構成した例を示している。このような搬送補助具２１によれば、ワンタッチ操作で当該搬送補助具２１とキャスタ１２１とを抜け止め状態若しくは抜け止め解除状態とすることができ、また搭載部４０には凸部が存在しないことから、搬送補助具２１のキャスタ１２１への脱着性が良好となり、取り扱い性のより優れたものとすることができる。
【００４４】
すなわち、図６に示した例では、側枠部５２ａ、５２ｂの後方に貫通孔５２１ａ、５２１ｂを設け、これら貫通孔５２１ａ、５２１ｂにバー状の係止部材５３を挿通可能としてストッパを構成している。この場合、バー状の係止部材５３を取り外した状態でキャスタ１２１を搭載部４０へ導入し、搭載完了後にバー状の係止部材５３を前記貫通孔５２１ａ、５２１ｂに挿通することで搬送補助具２１の装着が完了する。そして複写機１の移動時には、係止部材５３とキャスタ１２１の搬送方向後端側とが干渉し、搬送補助具２１の抜け止め及び牽引用ロープ６による牽引力の伝達が図られるものである。
【００４５】
また、図７に示した例（係合部５０の部分のみを描いている）では、一方の側枠部５２ｂの後端縁部に、回動自在なＬ字型の係止部材５４を取り付けてストッパを構成している。すなわち、この係止部材５４は、操作部となる短辺部５４１と、実質的にストッパとして機能する長辺部５４２とを有するＬ字型を呈し、短辺部５４１と長辺部５４２との交差部において、一方の側枠部５２ｂの後端縁部とピン５４３により回動自在に支持されている。
【００４６】
この場合、図７（ａ）に示すように、前記短辺部５４１を指で押し下げて長辺部５４２を倒立させた状態でキャスタ１２１を搭載部４０へ導入し、搭載完了後に、図７（ｂ）に示すように、短辺部５４１を指で押し上げて長辺部５４２を側枠部５２ａ、５２ｂの後端縁部間に架け渡すようにすることで搬送補助具２１の装着が完了する。そして複写機１の移動時には、係止部材５４の長辺部５４２とキャスタ１２１の搬送方向後端側とが干渉し、搬送補助具２１の抜け止め及び牽引用ロープ６による牽引力の伝達が図られるものである。このような係止部材５４であれば、短辺部５４１を指で操作するだけで簡単に搬送補助具２０の着脱を行うことができ、また長辺部５４２（短辺部５４１に比べて重い方）をストッパとしているので、振動等が加わっても簡単に回動して外れてしまうといったことがないという利点がある。
【００４７】
図８は、他の実施形態にかかる搬送補助具２２を示す図であり、上述の係合部５０とは異なり、当該搬送補助具２２の進行方向と直交する方向に配置された係合部５００とした例を示している。すなわち、この係合部５００は、キャスタ１２１の側部が当接する一対の側枠部５２０ａ、５２０ｂと、キャスタの転動方向前方部が当接する前枠部５１０とからなる。前記側枠部５２０ａ、５２０ｂは、当該搬送補助具２２の進行方向と直交する方向に延在している。
【００４８】
このような係合部５００によれば、複写機１の移動時においてキャスタ１２１の側部と前方の側枠部５２０ａとが干渉すると共に、後方の側枠部５２０ｂはキャスタ１２１の他方の側部と干渉して抜け止め用のストッパとして機能することとなる。従って、別途ストッパを設けずとも、当該搬送補助具２２の抜け止めを図ることができるようになる。
【００４９】
図９も、他の実施形態にかかる搬送補助具２３を示す図であり、搭載部４０にキャスタ１２１を搭載した状態において、キャスタ１２１の一部を接面本体部３１よりも突出させることが可能な窓部３４が設けられた実施形態を示している。すなわち、図９（ａ）に示すように、搭載部４０の適所には接面本体部３１に至る貫通孔であって、キャスタ１２１が嵌まり込むことが可能なサイズの矩形窓部３４が設けられている。
【００５０】
このような搬送補助具２３によれば、キャスタ１２１の一部を接面本体部３１よりも突出して床表面と直接的に接触することが可能となるので、当該搬送補助具２３を装着した状態で、床表面が堅い部分を搬送させるとき等に、キャスタ１２１の転動力を活用することが可能となる。従って、床表面が柔軟な部分と堅牢な部分とが混在しているような箇所に複写機１を搬入する場合に有利となる。
【００５１】
以上、本発明の実施形態のいくつかについて具体例を挙げて説明したが、本発明はこれらに限定されるものではない。例えば搭載部４０を重量に耐えうるよう部分的に厚肉にしたり、接面部３０の接面本体部３１の面積を搭載重量に応じて変化できるようにしたりする構成としてもよい。また係合部５０の態様については任意であり、キャスタ１２１若しくは機械装置本体の一部と干渉して従動しうる形態であればよい。
【００５２】
なお、キャスタを一体的に備えていない大重量の被搬送物を搬送する場合に、平板状の台座部と、この台座部の裏面側に取り付けられたキャスタ部とを具備するキャスタ付き台座が汎用されているが、本発明の搬送補助具をこのようなキャスタ付き台座のキャスタに装着することもできる。
【図面の簡単な説明】
【００５３】
【図１】図１は、本発明にかかる搬送補助具が適用されるキャスタ付き複写機を示しており、（ａ）はその正面図を、（ｂ）はその側面図をそれぞれ示している。
【図２】本発明の実施形態にかかる搬送補助具の一例を示すものであり、（ａ）は当該搬送補助具の斜視図、（ｂ）はその上面図、（ｃ）は（ｂ）のＡ−Ａ線断面図をそれぞれ示している。
【図３】キャスタに搬送補助具を装着する状態を示す説明図である。
【図４】本実施形態にかかる搬送補助具の使用状態を簡略的に示す側面図である。
【図５】牽引用ロープを用いた搬送状態を説明するための説明図である。
【図６】可動式の係止部材を用いた他の実施形態にかかる搬送補助具を示す斜視図である。
【図７】可動式の係止部材を用いた他の実施形態にかかる搬送補助具の要部を示す斜視図である。
【図８】他の実施形態にかかる搬送補助具を示す上面図である。
【図９】他の実施形態にかかる搬送補助具を示す図であって、（ａ）はその正面図を、（ｂ）はその側面図をそれぞれ示している。
【符号の説明】
【００５４】
１      複写機
１２    キャスタ部
１２１  キャスタ
２０，２１，２２，２３    搬送補助具
３０    接面部
３１    接面本体部
３２    反り上がり部
３３    貫通孔（牽引用ロープ固定部）
４０    搭載部
４１    凸状突起部（ストッパ）
４１１  下り勾配面
４１２  登り勾配面
４２    スロープ部
５０，５００    係合部
５１    前枠部
５２ａ，５２ｂ    側枠部
５３，５４    可動式の係止部材（ストッパ）
６      牽引用ロープ
【図１】
2006096493.tif 000003
【図２】
2006096493.tif 000004
【図３】
2006096493.tif 000005
【図４】
2006096493.tif 000006
【図５】
2006096493.tif 000007
【図６】
2006096493.tif 000008
【図７】
2006096493.tif 000009
【図８】
2006096493.tif 000010
【図９】
2006096493.tif 000011